(57)【要約】【課題】隣接周波数帯域間の干渉を抑えつつ、ガードバンドの幅を狭くして、周波数利用効率の向上を図ること。【解決手段】基地局装置１１は、隣接周波数帯域を使用するシステムの他の基地局からの信号を受信するサブ無線受信部１０２と、他の基地局からの信号の中心周波数を探索する中心周波数サーチ部１０３と、中心周波数を取得できた基地局の中から同期対象基地局を選択する基地局選択部１０４と、同期対象基地局から送信された下り信号から受信情報を取得するサブ受信信号処理部１０５と、同期対象基地局の受信情報に基づいて同期対象基地局の送受信タイミングに同期するように動作パラメータを設定する制御部１０６と、を具備する。【選択図】図２
2018142909.tif 000002
【特許請求の範囲】
【請求項１】
送信処理の際に周波数領域信号を時間領域信号に変換する処理を行い、受信処理の際に前記時間領域信号を前記周波数領域信号に変換する処理を行う基地局装置であって、
隣接周波数帯域を使用するシステムにおいて送信処理の際に前記周波数領域信号を前記時間領域信号に変換する処理を行い、受信処理の際に前記時間領域信号を前記時間領域信号に変換する処理を行う他の基地局装置からの信号を受信する受信部と、
前記他の基地局装置からの信号の中心周波数を探索する探索部と、
中心周波数を取得できた基地局装置の中から同期対象基地局を選択する選択部と、
前記同期対象基地局の送受信タイミングに同期するように動作パラメータを設定する制御部と、
を具備する基地局装置。
【請求項２】
前記受信部は、前記他の基地局装置からの下りベースバンド信号に対して、前記時間領域信号を前記周波数領域信号に変換する処理を行い、前記他の基地局の参照信号を用いて基準参照信号電力（ＲＳＲＰ）を測定し、
前記選択部は、前記ＲＳＲＰの最も大きな前記他の基地局装置を前記同期対象基地局として選択する、請求項１に記載の基地局装置。
【請求項３】
前記受信部は、前記同期対象基地局からの下りベースバンド信号に対して、前記時間領域信号を前記周波数領域信号に変換する処理を行い、前記同期対象基地局のSynchronization Channelの信号に基づいて無線フレームタイミングを検出し、
前記制御部は、前記同期対象基地局のRadio Frame送受信タイミングに同期するように送信タイミングを前記動作パラメータとして設定する、
請求項１に記載の基地局装置。
【請求項４】
前記受信部は、前記同期対象基地局からの下りベースバンド信号に対して、前記時間領域信号を前記周波数領域信号に変換する処理を行い、前記同期対象基地局のＰＢＣＨ(Physical Broadcast Channel)の信号からＭＩＢ情報を取得し、
前記制御部は、前記同期対象基地局のシステムフレーム番号(SFN)に同期するように送信タイミングを前記動作パラメータとして設定する、
請求項１に記載の基地局装置。
【請求項５】
前記受信部は、前記同期対象基地局からの下りベースバンド信号に対して、前記時間領域信号を前記周波数領域信号に変換する処理を行い、前記同期対象基地局のＰＢＣＨ(Physical Broadcast Channel)の信号からＭＩＢ情報を取得し、
前記制御部は、送信電力を前記動作パラメータとして設定する、
請求項１に記載の基地局装置。
【請求項６】
前記受信部は、前記同期対象基地局からの下りベースバンド信号に対して、前記時間領域信号を前記周波数領域信号に変換する処理を行い、前記同期対象基地局のＰＢＣＨ(Physical Broadcast Channel)の信号からＭＩＢ情報を取得し、
前記制御部は、使用ＲＢを前記動作パラメータとして設定する、
請求項１に記載の基地局装置。
【請求項７】
前記受信部は、前記同期対象基地局からの下りベースバンド信号に対して、前記時間領域信号を前記周波数領域信号に変換する処理を行い、前記同期対象基地局のＰＤＳＣＨ（Physical Downlink Shared Channel）の信号からＳＩＢ１情報を取得し、前記同期対象基地局がＴＤＤシステムであれば、前記同期対象基地局と同一のＴＤＤフレーム構成を前記動作パラメータとして設定する、
請求項１に記載の基地局装置。
【請求項８】
送信処理の際に周波数領域信号を時間領域信号に変換する処理を行い、受信処理の際に前記時間領域信号を前記周波数領域信号に変換する処理を行う基地局装置の通信方法であって、
隣接周波数帯域を使用するシステムにおいて送信処理の際に前記周波数領域信号を前記時間領域信号に変換する処理を行い、受信処理の際に前記時間領域信号を前記周波数領域信号に変換する処理を行う他の基地局装置からの信号を受信し、
前記他の基地局装置からの信号の中心周波数を探索し、
中心周波数を取得できた基地局装置の中から同期対象基地局を選択し、
前記同期対象基地局の送受信タイミングに同期するように動作パラメータを設定し、
前記動作パラメータで端末と通信を行う、
通信方法。
【発明の詳細な説明】
【技術分野】
【０００１】
本発明は、基地局装置およびその通信方法に関する。
【背景技術】
【０００２】
同一周波数帯を使用する同一システムの、セル領域が重複する基地局間において、干渉制御を行うネットワークリスニング技術が開発されている（特許文献１）。同一システムであれば、各基地局は、他の基地局が使用するリソースが既知であるので、他の基地局が使用していないリソースを使用することにより、干渉を防ぐことができる。
【０００３】
一方、隣接周波数帯域を使用する２つのシステムが互いに異なる場合、従来では、隣接周波数帯域間に充分なガードバンドを設けることにより、隣接周波数帯域間の干渉を低減している。例えば、2.5GHz帯を使用する既存の地域ＢＷＡ（Broadband Wireless Access）では、割り当てられた2575MHzから2595MHzまでの周波数帯域の内、2575MHzから2582MHzおよび2592MHzから2595MHzを固定的にガードバンドとしている。
【先行技術文献】
【特許文献】
【０００４】
【特許文献１】特開２０１７−５４５１号公報
【発明の概要】
【発明が解決しようとする課題】
【０００５】
しかしながら、ガードバンドの設定は、周波数利用効率の低下に繋がる。
【０００６】
本開示の一態様は、隣接周波数帯域間の干渉を抑えつつ、ガードバンドの幅を狭く、若しくはガードバンドを無くして、周波数利用効率の向上を図ることができる基地局装置およびその通信方法を開示する。
【課題を解決するための手段】
【０００７】
本開示の一態様に係る基地局装置は、送信処理の際に周波数領域信号を時間領域信号に変換する処理を行い、受信処理の際に前記時間領域信号を前記周波数領域信号に変換する処理を行う基地局装置であって、隣接周波数帯域を使用するシステムにおいて送信処理の際に前記周波数領域信号を前記時間領域信号に変換する処理を行い、受信処理の際に前記時間領域信号を前記時間領域信号に変換する処理を行う他の基地局装置からの信号を受信する受信部と、前記他の基地局装置からの信号の中心周波数を探索する探索部と、中心周波数を取得できた基地局装置の中から同期対象基地局を選択する選択部と、前記同期対象基地局の送受信タイミングに同期するように動作パラメータを設定する制御部と、を具備する。
【０００８】
本開示の一態様に係るその通信方法は、送信処理の際に周波数領域信号を時間領域信号に変換する処理を行い、受信処理の際に前記時間領域信号を前記周波数領域信号に変換する処理を行う基地局装置の通信方法であって、隣接周波数帯域を使用するシステムにおいて送信処理の際に前記周波数領域信号を前記時間領域信号に変換する処理を行い、受信処理の際に前記時間領域信号を前記周波数領域信号に変換する処理を行う他の基地局装置からの信号を受信し、前記他の基地局装置からの信号の中心周波数を探索し、中心周波数を取得できた基地局装置の中から同期対象基地局を選択し、前記同期対象基地局の送受信タイミングに同期するように動作パラメータを設定し、前記動作パラメータで端末と通信を行う。
【発明の効果】
【０００９】
本開示の一態様によれば、隣接周波数帯域間の干渉を抑えつつ、ガードバンドの幅を狭く、若しくはガードバンドを無くして、周波数利用効率の向上を図ることができる。
【図面の簡単な説明】
【００１０】
【図１】本発明の実施の形態１に係る無線通信システムの構成を示す図
【図２】本発明の実施の形態１に係る基地局装置の構成を示すブロック図
【図３】本発明の実施の形態１に係る基地局装置及び同期対象基地局の周波数帯域を示す図
【図４】本発明の実施の形態２に係る無線通信システムの構成を示す図
【図５】本発明の実施の形態２に係るリスニング処理装置の構成を示すブロック図
【図６】本発明の実施の形態２に係る基地局装置の構成を示すブロック図
【図７】本発明のその他の実施の形態に係る無線通信システムの構成を示す図
【発明を実施するための形態】
【００１１】
以下、図面を適宜参照して、本発明の実施の形態について、詳細に説明する。なお、添付図面および以下の説明は、当業者が本開示を十分に理解するために、提供されるのであって、これらにより特許請求の範囲に記載の主題を限定することは意図されていない。
【００１２】
（実施の形態１）
＜無線通信システムの構成＞
本発明の実施の形態１に係る無線通信システム１の構成について、図１を参照しながら、以下に詳細に説明する。
【００１３】
無線通信システム１は、基地局装置１１と、端末１２と、他の基地局である同期対象基地局１３と、を有している。なお、基地局装置１１、端末１２および同期対象基地局１３は、いずれも、送信処理の際に周波数領域信号を時間領域信号に変換する処理を行い、受信処理の際に時間領域信号を周波数領域信号に変換する処理を行う。例えば、Orthogonal Frequency Division Multiplexing : 直交周波数分割多重、Single Carrier Frequency Division Multiple Accessでは、周波数領域信号を時間領域信号に変換する処理として、ＩＦＦＴ(Inverse Fast Fourier Transform : 逆高速フーリエ変換)が、時間領域信号を周波数領域信号に変換する処理として、ＦＦＴ(Fast Fourier Transform : 高速フーリエ変換)が用いられる。LTEシステムでは時間領域信号に対してCP(Cyclic Prefix)が付与されている。
【００１４】
基地局装置１１は、隣接周波数帯域を使用するシステムの他の基地局から受信した下り信号の中心周波数を探索し、中心周波数を取得できた他の基地局の中から同期対象基地局１３を選択する。基地局装置１１は、選択した同期対象基地局１３の下り信号に含まれる受信情報を取得すると共に、取得した受信情報に基づいて同期対象基地局１３の送受信タイミングに同期するように動作パラメータを設定する。基地局装置１１は、設定した動作パラメータで端末１２に下り信号を送信する。基地局装置１１は、自セルＳ１の端末１２から送信された上り信号を受信し、受信した上り信号に対して所定の処理を実行することにより、上り信号に含まれているデータ又は情報を取得する。
【００１５】
端末１２は、基地局装置１１のセルＳ１内において、基地局装置１１から送信された下り信号を受信し、受信した下り信号に対して所定の処理を実行することにより、下り信号に含まれているデータ又は情報を取得する。この際、基地局装置１１のセルＳ１のセル端と、基地局装置１１の隣接基地局である同期対象基地局１３のセルＳ２のセル端と、が重複するエリアに存在する端末１２（図１のＵＥ＃１）は、同期対象基地局１３からの干渉を低減して、基地局装置１１と通信することができる。端末１２は、所定のデータ又は情報を含む信号を生成し、生成した信号を基地局装置１１に対して無線送信する。
【００１６】
同期対象基地局１３は、基地局装置１１と異なるシステムに属して通信を行う。
【００１７】
＜基地局装置の構成＞
本発明の実施の形態１に係る基地局装置１１の構成について、図２及び図３を参照しながら、以下に詳細に説明する。
【００１８】
基地局装置１１は、アンテナ１０１と、サブ無線受信部１０２と、中心周波数サーチ部１０３と、基地局選択部１０４と、サブ受信信号処理部１０５と、制御部１０６と、メイン送信信号処理部１０７と、メイン無線送信部１０８と、アンテナ１０９と、アンテナ１１０と、メイン無線受信部１１１と、メイン受信信号処理部１１２と、を有している。
【００１９】
サブ無線受信部１０２は、基地局装置１１が使用している周波数帯域の隣接周波数帯域を使用するシステムの他の基地局から送信された下り無線信号を、アンテナ１０１を介して受信する。サブ無線受信部１０２は、受信した下り無線信号に対してダウンコンバート、増幅等の無線受信処理を行い、得られたベースバンド信号を中心周波数サーチ部１０３に出力する。
【００２０】
中心周波数サーチ部１０３は、サブ無線受信部１０２から入力した下りベースバンド信号の中心周波数を探索（サーチ）する。中心周波数サーチ部１０３は、中心周波数の探索結果を下りベースバンド信号と共に基地局選択部１０４およびサブ受信信号処理部１０５に出力する。
【００２１】
基地局選択部１０４は、中心周波数サーチ部１０３から入力した中心周波数の探索結果に基づいて、中心周波数を取得できた基地局の中から同期対象基地局を選択する。基地局選択部１０４は、例えば受信電力が閾値以上の他の基地局の中から同期対象基地局を選択する。
【００２２】
具体的には、基地局選択部１０４は、受電電力の最も大きな他の基地局、距離の最も近い他の基地局、若しくは自局で使用する周波数帯の中心周波数に最も近い中心周波数の周波数帯を使用する他の基地局を、同期対象基地局として選択し、又は、これらの組み合わせにより、同期対象基地局を選択する。この際、基地局選択部１０４は、距離の最も近い他の基地局として、受信電力が最大の他の基地局を選択することができる。また、基地局選択部１０４は、上記の組み合わせにより同期対象基地局を選択する場合に、受信電力、中心周波数間の間隔及び距離の各々に重み付けして求めたスコアに基づいて同期対象基地局を選択することができる。
【００２３】
サブ受信信号処理部１０５は、基地局選択部１０４が選択した同期対象基地局の中心周波数サーチ部１０３から入力した下りベースバンド信号に対してＦＦＴ、復調、復号等の所定の受信処理を行い、同期対象基地局の受信情報を取得する。ここで、受信情報は、Synchronization Channelの信号に基づいて検出した無線フレームタイミング、ＰＢＣＨ(Physical Broadcast Channel)の信号より取得する通信量等の管理情報（ＭＩＢ情報）、ＰＤＳＣＨ（Physical Downlink Shared Channel）の信号より取得する同期対象基地局が自セルに属することが許可されているか否かに関連する情報（ＳＩＢ１情報）、又は、参照信号（ＣＲＳ）を用いて測定される基準信号受信電力（ＲＳＲＰ）の情報である。また、同期対象基地局のプライマリセルＩＤは無線フレームタイミング検出時に同定し、使用周波数帯域幅、システムフレーム番号（ＳＦＮ）に関する情報はＭＩＢ情報に、ＴＤＤフレーム構成はＳＩＢ１にそれぞれ含まれる。
【００２４】
サブ受信信号処理部１０５は、取得した受信情報を制御部１０６に出力する。
【００２５】
制御部１０６は、サブ受信信号処理部１０５から入力した同期対象基地局の受信情報に基づいて、同期対象基地局１３の送受信タイミングに同期するように自局の動作パラメータを設定する。ここで、動作パラメータは、無線フレームタイミング、プライマリセルＩＤ、送信電力又は使用するリソースブロック（ＲＢ：Resource Block）であり、同期対象基地局がＴＤＤシステムの場合、ＴＤＤフレーム構成も動作パラメータに含む。この際、プライマリセルＩＤは、同期対象基地局と異なるＩＤとする。送受信タイミングに同期するには少なくとも無線フレームタイミングの情報が必要であり、送受信タイミング同期のみで同期対象基地局への干渉が不十分な場合、制御部１０６は、送信電力/使用リソースブロックを、同期対象基地局への干渉が許容範囲に収まるように設定し、設定された送信電力の最大値の情報を基地局装置１１のセル＃１の端末に通知することができる。
【００２６】
制御部１０６は、メイン送信信号処理部１０７に対して、自セルＳ１の端末に送信する下り信号の使用周波数帯と、同期対象基地局が使用する隣接周波数帯と、の間に設けるガードバンドを設定させる制御、若しくはガードバンドを設定しない制御を行うと共に、設定した動作パラメータの下り信号を生成させる制御を行う。また、制御部１０６は、メイン受信信号処理部１１２から入力した前記自セルＳ１の端末に送信する下り信号の使用周波数帯域幅と同一の周波数帯域幅を有する上りベースバンド信号を解析して、上りベースバンド信号に含まれる種々の情報を取得する。
【００２７】
メイン送信信号処理部１０７は、制御部１０６により設定した動作パラメータに基づいて下りデータに対して符号化、変調、ＩＦＦＴ等の送信処理を行い、得られた下りベースバンド信号をメイン無線送信部１０８に出力する。メイン送信信号処理部１０７より出力される下りベースバンド信号には、図３に示すように、ｆ３からｆ４までの使用周波数帯＃１と、同期対象基地局が使用するｆ１からｆ２までの隣接周波数帯＃２と、の間にガードバンド＃３が設けられている。ただし、前記制御部１０６においてガードバンドを設定しない制御を行う場合には、メイン送信信号処理部１０７より出力される下りベースバンド信号にガードバンドが含まれない。なお、使用周波数帯＃１と、ｆ５からｆ６までの隣接周波数帯＃４と、の間にもガードバンド＃５が設けられている。
【００２８】
メイン無線送信部１０８は、メイン送信信号処理部１０７から入力した下りベースバンド信号に対してアップコンバート、増幅等の無線送信処理を行い、得られた下り無線信号をアンテナ１０９を介して送信する。
【００２９】
メイン無線受信部１１１は、自セルの端末から送信され、アンテナ１１０に受信された上り無線信号に対してダウンコンバート、増幅等の無線受信処理を行い、得られた上りベースバンド信号をメイン受信信号処理部１１２に出力する。
【００３０】
メイン受信信号処理部１１２は、メイン無線受信部１１１から入力した上りベースバンド信号に対してＦＦＴ、復調、復号等の受信処理を行い、上りデータを制御部１０６に出力する。
【００３１】
ここで、図３に示すように、同期対象基地局１３の使用するシステムは、ここでは全国広帯域移動無線アクセス（全国ＢＷＡ（Broadband Wireless Access））システムにおけるＡＸＧＰ（Advanced eXtended Global Platform）を例示する。また、基地局装置１１の使用するシステムは、ここでは地域広帯域移動無線アクセス（地域ＢＷＡ）システムにおけるＷｉＭＡＸを例示する。
【００３２】
基地局装置１１から送信される下り信号は、同期対象基地局１３の送受信タイミングに同期するように設定された動作パラメータに基づいて生成及び送信されるため、ガードバンド＃３の帯域を狭くしても、隣接周波数帯を使用して同期対象基地局１３から送信される下り信号に干渉せずに端末１２により受信可能である。
【００３３】
なお、図３に示すように、基地局装置１１の使用周波数の隣接周波数＃４を使用するシステム（例えば全国ＢＷＡにおけるＷｉＭＡＸ）が基地局装置１１の使用するシステムと同一である場合には、本実施の形態のシステムを用いずに同期を取ることができるため、ガードバンド＃５を狭くすることができる。
【００３４】
＜効果＞
このように、本実施の形態によれば、隣接周波数帯域を使用するシステムの他の基地局からの信号の中心周波数を探索し、中心周波数を取得できた基地局の中から同期対象基地局１３を選択すると共に、同期対象基地局１３の送受信タイミングに同期するように動作パラメータを設定することにより、隣接周波数帯域間の干渉を抑えつつ、ガードバンドの幅を狭く、若しくはガードバンドを無くして、周波数利用効率の向上を図ることができる。
【００３５】
（実施の形態２）
＜無線通信システムの構成＞
本発明の実施の形態２に係る無線通信システム２の構成について、図４を参照しながら、以下に詳細に説明する。
【００３６】
無線通信システム２は、基地局装置２１と、端末２２と、リスニング処理装置２３と、他の基地局である同期対象基地局２４と、を有している。
【００３７】
リスニング処理装置２３は、基地局装置２１の使用周波数の隣接周波数帯域を使用するシステムの基地局から受信した下り信号の中心周波数を探索し、中心周波数を取得できた基地局の中から同期対象基地局２４を選択する。リスニング処理装置２３は、選択した同期対象基地局２４の下り信号に含まれる受信情報を取得し、取得した受信情報を基地局装置２１に有線で送信する。なお、リスニング処理装置２３は、取得した受信情報を基地局装置２１に無線送信するようにしてもよい。
【００３８】
基地局装置２１は、リスニング処理装置２３から受信した受信情報に基づいて、同期対象基地局２４の送受信タイミングに同期するように動作パラメータを設定する。基地局装置２１は、設定した動作パラメータで端末２２に下り信号を送信する。基地局装置２１は、自セルＳ２１の端末２２から送信された上り信号を受信し、受信した上り信号に対して所定の処理を実行することにより、上り信号に含まれているデータ又は情報を取得する。
【００３９】
端末２２は、基地局装置２１のセルＳ２１内において、基地局装置２１から送信された下り信号を受信し、受信した下り信号に対して所定の処理を実行することにより、下り信号に含まれているデータ又は情報を取得する。この際、基地局装置２１のセルＳ２１のセル端と、基地局装置２１の隣接基地局である同期対象基地局２４のセルＳ２２のセル端と、が重複するエリアに存在する端末２２は、同期対象基地局２４からの干渉を受けずに、基地局装置２１と通信することができる。端末２２は、所定のデータ又は情報を含む信号を生成し、生成した信号を基地局装置２１に対して無線送信する。
【００４０】
＜リスニング処理装置の構成＞
本発明の実施の形態２に係るリスニング処理装置２３の構成について、図５を参照しながら、以下に詳細に説明する。
【００４１】
なお、図５において、図２と同一構成である部分については同一符号を付して、その説明を省略する。
【００４２】
リスニング処理装置２３は、サブ無線受信部１０２と、中心周波数サーチ部１０３と、基地局選択部１０４と、サブ受信信号処理部１０５と、送信Ｉ／Ｆ部２０１と、を有している。
【００４３】
サブ受信信号処理部１０５は、取得した受信情報を送信Ｉ／Ｆ部２０１に出力する。
【００４４】
送信Ｉ／Ｆ部２０１は、サブ受信信号処理部１０５から入力した受信情報を、有線を介して、基地局装置２１（受信Ｉ／Ｆ部３０１）に送信する。
【００４５】
＜基地局装置の構成＞
本発明の実施の形態２に係る基地局装置２１の構成について、図６を参照しながら、以下に詳細に説明する。
【００４６】
なお、図６において、図２と同一構成である部分については同一符号を付して、その説明を省略する。
【００４７】
基地局装置２１は、制御部１０６と、メイン送信信号処理部１０７と、メイン無線送信部１０８と、アンテナ１０９と、アンテナ１１０と、メイン無線受信部１１１と、メイン受信信号処理部１１２と、受信Ｉ／Ｆ部３０１と、を有している。
【００４８】
受信Ｉ／Ｆ部３０１は、リスニング処理装置２３より同期対象基地局の受信情報を取得する。受信Ｉ／Ｆ部３０１は、取得した受信情報を制御部１０６に出力する。
【００４９】
制御部１０６は、受信Ｉ／Ｆ部３０１から入力した同期対象基地局の受信情報に基づいて、同期対象基地局１３の送受信タイミングに同期するように自局の動作パラメータを設定する。
【００５０】
ここで、同期対象基地局２４の使用するシステムは、ここでは全国広帯域移動無線アクセス（全国ＢＷＡ）システムにおけるＡＸＧＰを例示する。また、基地局装置２１の使用するシステムは、ここでは地域広帯域移動無線アクセス地域ＢＷＡシステムにおける地域ＷｉＭＡＸを例示する。
【００５１】
基地局装置２１から送信される下り信号は、同期対象基地局２４の送受信タイミングに同期するように設定された動作パラメータに基づいて生成及び送信されるため、ガードバンドの帯域を狭くしても、隣接周波数帯を使用して同期対象基地局２４から送信される下り信号に干渉せずに端末２２により受信可能である。
【００５２】
このように、本実施の形態によれば、リスニング処理装置２３が同期対象基地局を探索して選択すると共に同期対象基地局の受信情報を取得し、基地局装置２１がリスニング処理装置２３から同期対象基地局の受信情報を取得して動作パラメータを設定することにより、上記実施の形態１の効果に加えて、基地局装置２１が同期対象基地局２４の中心周波数を探索できないか、又は同期対象基地局２４の受信情報を取得できない場合であっても、隣接周波数帯域間の干渉を抑えつつ、ガードバンドの幅を狭く、若しくはガードバンドを無くして、周波数利用効率の向上を図ることができる。
【００５３】
（その他の実施の形態）
本発明のその他の実施の形態に係る無線通信システム３の構成について、図７を参照しながら、以下に詳細に説明する。
【００５４】
なお、図７において、図１と同一構成である部分については同一符号を付して、その説明を省略する。
【００５５】
無線通信システム３は、基地局装置１１と、端末１２と、他の基地局である同期対象基地局１３と、ＥＰＣ（Evolved Packet Core）３１と、同期対象基地局以外の他の基地局３２と、を有している。
【００５６】
ＥＰＣ１１は、ネットワーク制御のC-plane（Control plane）を扱うＭＭＥ（Mobility Management Entity）とユーザーデータのパケットデータであるU-plane（User plane）を扱うＳ−ＧＷ（Serving Gateway）およびインターネットのような外部ネットワークへ接続するためのＰ−ＧＷ（PDN：Packet data network Gateway）で構成されている。
【００５７】
ＥＰＣ３１は、基地局装置１１及び他の基地局３２の上位局であり、インターネット等のネットワークに接続しており、基地局装置１１から受信した動作パラメータを他の基地局３２に送信する。
【００５８】
他の基地局３２は、基地局装置１１の属するシステムと同一のシステムに属すると共に、基地局装置１１の使用周波数帯と異なる周波数帯を使用して通信を行う。他の基地局３２は、ＥＰＣ３１から受信した動作パラメータを設定して、設定した動作パラメータで端末１２に下り信号を送信する。
【００５９】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【００６０】
本発明は、基地局装置に用いるに好適である。
【符号の説明】
【００６１】
１、２、３  無線通信システム
１１、２１  基地局装置
１２、２２  端末
１３、２４  同期対象基地局
２３  リスニング処理装置
３１  ＥＰＣ
３２  他の基地局
１０１、１０９、１１０  アンテナ
１０２  サブ無線受信部
１０３  中心周波数サーチ部
１０４  基地局選択部
１０５  サブ受信信号処理部
１０６  制御部
１０７  メイン送信信号処理部
１０８  メイン無線送信部
１１１  メイン無線受信部
１１２  メイン受信信号処理部
２０１  送信Ｉ／Ｆ部
３０１  受信Ｉ／Ｆ部
【図１】
2018142909.tif 000003
【図２】
2018142909.tif 000004
【図３】
2018142909.tif 000005
【図４】
2018142909.tif 000006
【図５】
2018142909.tif 000007
【図６】
2018142909.tif 000008
【図７】
2018142909.tif 000009